(57)【要約】【課題】生ゴミ処理中に発生する臭気を確実に脱臭することができる使用性の高い生ゴミ処理機を提供することを目的とする。【解決手段】生ゴミを収納する生ゴミ収納容器１と、前記生ゴミ収納容器１内の生ゴミを加熱する加熱手段１０と、前記生ゴミ収納容器１内の空気を排出する排出手段２３と、前記排出手段２３から排出される空気を脱臭する触媒１９を加熱する触媒加熱手段１８と、機器への入力電圧を検出する電圧検知手段２４とを備え、前記電圧検知手段２４が検出した電圧の値に応じて、前記触媒加熱手段１８の発熱量を変更するもので、機器への入力電圧が変化しても、生ゴミ処理中に発生する臭気を確実に脱臭することができる使用性の高い生ゴミ処理機を提供できる。【選択図】　図１
2004105898.tif 000002
【特許請求の範囲】
【請求項１】
生ゴミを収納する生ゴミ収納容器と、前記生ゴミ収納容器内の生ゴミを加熱する加熱手段と、前記生ゴミ収納容器内の生ゴミを撹拌する撹拌手段と、前記生ゴミ収納容器内の空気を排出する排出手段と、前記排出手段から排出される空気を脱臭する触媒と、前記触媒を加熱する触媒加熱手段と、機器への入力電圧を検出する電圧検知手段とを備え、前記電圧検知手段が検出した電圧の値に応じて、前記触媒加熱手段の発熱量を変更する生ゴミ処理機。
【請求項２】
電圧検知手段により検出した機器への入力電圧が基準値より高い時には、触媒加熱手段への通電量を減らすようにした請求項１記載の生ゴミ処理機。
【請求項３】
電圧検知手段により検出した機器への入力電圧が基準値より低い時には、触媒加熱手段への通電量を増やすようにした請求項１または２記載の生ゴミ処理機。
【請求項４】
生ゴミを収納する生ゴミ収納容器と、前記生ゴミ収納容器内の生ゴミを加熱する加熱手段と、前記生ゴミ収納容器内の生ゴミを撹拌する撹拌手段と、前記生ゴミ収納容器内の空気を排出する排出手段と、前記排出手段から排出される空気を脱臭する触媒と、前記触媒を加熱する触媒加熱手段と、機器への入力電圧を検出する電圧検知手段とを備え、前記電圧検知手段が検出した電圧の値に応じて、前記排出手段による前記生ゴミ収納容器内からの空気の排出量を変更する生ゴミ処理機。
【請求項５】
電圧検知手段により検出した機器への入力電圧が基準値より高い時には、排出手段への通電量を減らすようにした請求項４記載の生ゴミ処理機。
【請求項６】
電圧検知手段により検出した機器への入力電圧が基準値より低い時には、排出手段への通電量を増やすようにした請求項４または５記載の生ゴミ処理機。
【請求項７】
機器への入力電圧の検知は、電圧検知手段により一定時間毎に行うようにした請求項１〜６のいずれか１項に記載の生ゴミ処理機。
【発明の詳細な説明】
【０００１】
【発明の属する技術分野】
本発明は、食品などの生ゴミを処理する生ゴミ処理機に関するものである。
【０００２】
【従来の技術】
従来から生ゴミを乾燥させて減量処理するため生ゴミ処理機が提案されている。この種の生ゴミ処理機の構成を図４により説明する。図４において、１は乾燥減量したい生ゴミを収納する収納容器で、生ゴミは生ゴミ投入用の蓋２を開けて投入される。生ゴミ収納容器１の内部には回転自在の撹拌軸３に、先端に撹拌板４をつけた複数のアーム５を有する生ゴミを撹拌する撹拌手段６を配し、撹拌手段６はチェーン９を介して生ゴミ乾燥処理機の本体７の底部に取り付けたモータ８により回転駆動される。
【０００３】
生ゴミ収納容器１の上部には、温度検出手段１４の出力で生ゴミ収納容器１の温度を所定温度になるように温度調整をおこなう加熱手段１０、送風手段である乾燥ファン１１、それらを覆うと共に底部に複数の孔１２ａを有するカバー１２が設けられており、乾燥ファン１１は本体７の内部に設けてある乾燥ファンモータ１３により回転する。
【０００４】
１８は排気の臭いを脱臭する触媒１９の上流側に設けてある触媒加熱手段であり、それらは排出口１６を有する触媒ケース１７内に配設して、排出モータ２１と前記排出モータ２１に取付けられた排出ファン２２から構成される排出手段を介して排気部２０につながっており、生ゴミ収納容器１の生ゴミを撹拌手段６で粉砕、撹拌しながら加熱手段１０と乾燥ファン１１により発生する熱風で生ゴミを乾燥させる時に発生する蒸気を排出ファン２２の運転で排出させるものである。
【０００５】
また、１５はモータ８、加熱手段１０、乾燥ファンモータ１３、触媒加熱手段（触媒加熱ヒータ）１８、排出モータ２１を制御する制御装置であり、図５に示すように運転開始から生ゴミ収納容器１の生ゴミを所定時間の正転、停止、逆転を繰り返す撹拌手段６（モータ８の動作）で粉砕、撹拌しながら、温度検出手段１４の出力で生ゴミ収納容器１内温度を予め設定してあるＴ１になるように加熱手段１０をＯＮ、ＯＦＦして温度制御を行い、加熱手段１０のＯＦＦ時間が所定値ｔ１より長くなると、加熱手段１０を所定温度Ｔ２になるまで再度ＯＮし加熱乾燥をおこなうものである。この所定温度Ｔ２になるまで加熱手段１０を再度ＯＮすることで、乾燥処理時間を終了している（例えば、特許文献１参照。）。
【０００６】
【特許文献１】
特開２００２−１１９９３８号公報
【０００７】
【発明が解決しようとする課題】
しかしながらこのような従来の生ゴミ処理機では、触媒加熱手段１８は常に一定の位相で制御しているため、機器への入力電圧が低い場合は、触媒加熱手段１８の温度は低くなることで触媒の性能を確保できなくなる恐れがあり、逆に機器への入力電圧が高い場合は触媒加熱手段１８の温度が高くなることで、ヒータが断線してしまう恐れがある。
【０００８】
また、排出モータ２１と前記排出モータ２１に取付けられた排出ファン２２から構成される排出手段も一定の位相で制御しているため、機器への入力電圧が低い場合は、生ゴミ収納容器１からの空気の排出量が小さくなることで、脱臭の性能を確保できなくなる恐れがあり、逆に機器への入力電圧が高い場合は、排出モータ２１の温度が高くなり、巻線が断線してしまう恐れがある。
【０００９】
本発明は、上記課題を解決するもので、生ゴミ処理中に発生する臭気を確実に脱臭することができる使用性の高い生ゴミ処理機を提供することを目的とする。
【００１０】
【課題を解決するための手段】
上記課題を解決するために本発明は、生ゴミを収納する生ゴミ収納容器と、前記生ゴミ収納容器内の生ゴミを加熱する加熱手段と、前記生ゴミ収納容器内の生ゴミを撹拌する撹拌手段と、前記生ゴミ収納容器内の空気を排出する排出手段と、前記排出手段から排出される空気を脱臭する触媒と、前記触媒を加熱する触媒加熱手段と、機器への入力電圧を検出する電圧検知手段とを備え、前記電圧検知手段が検出した電圧の値に応じて、前記触媒加熱手段の発熱量を変更する生ゴミ処理機で、機器への入力電圧が変化しても、生ゴミ処理中に発生する臭気を確実に脱臭することができる使用性の高い生ゴミ処理機を提供できる。
【００１１】
【発明の実施の形態】
請求項１記載の発明は、生ゴミを収納する生ゴミ収納容器と、前記生ゴミ収納容器内の生ゴミを加熱する加熱手段と、前記生ゴミ収納容器内の生ゴミを撹拌する撹拌手段と、前記生ゴミ収納容器内の空気を排出する排出手段と、前記排出手段から排出される空気を脱臭する触媒と、前記触媒を加熱する触媒加熱手段と、機器への入力電圧を検出する電圧検知手段とを備え、前記電圧検知手段が検出した電圧の値に応じて、前記触媒加熱手段の発熱量を変更する生ゴミ処理機で、機器への入力電圧が変化しても、生ゴミ処理中に発生する臭気を確実に脱臭することができる使用性の高い生ゴミ処理機を提供できる。
【００１２】
請求項２記載の発明は、電圧検知手段により検出した機器への入力電圧が基準値より高い時には、触媒加熱手段への通電量を減らすようにしたもので、機器への入力電圧が高い場合は触媒加熱手段の温度が高くなることで、ヒータが断線してしまうのを防止でき、機器への入力電圧が変化しても、生ゴミ処理中に発生する臭気を確実に脱臭することができる使用性の高い生ゴミ処理機を提供できる。
【００１３】
請求項３記載の発明は、電圧検知手段により検出した機器への入力電圧が基準値より低い時には、触媒加熱手段への通電量を増やすようにしたもので、機器への入力電圧が低い場合は、触媒加熱手段の温度が低くなることで触媒の性能を確保できなくなるのを防止でき、機器への入力電圧が変化しても、生ゴミ処理中に発生する臭気を確実に脱臭することができる使用性の高い生ゴミ処理機を提供できる。
【００１４】
請求項４記載の発明は、生ゴミを収納する生ゴミ収納容器と、前記生ゴミ収納容器内の生ゴミを加熱する加熱手段と、前記生ゴミ収納容器内の生ゴミを撹拌する撹拌手段と、前記生ゴミ収納容器内の空気を排出する排出手段と、前記排出手段から排出される空気を脱臭する触媒と、前記触媒を加熱する触媒加熱手段と、機器への入力電圧を検出する電圧検知手段とを備え、前記電圧検知手段が検出した電圧の値に応じて、前記排出手段による前記生ゴミ収納容器内からの空気の排出量を変更する生ゴミ処理機で、機器への入力電圧が変化しても、生ゴミ処理中に発生する臭気を確実に脱臭することができる使用性の高い生ゴミ処理機を提供できる。
【００１５】
請求項５記載の発明は、電圧検知手段により検出した機器への入力電圧が基準値より高い時には、排出手段への通電量を減らすようにしたもので、機器への入力電圧が高い場合は、排出モータの温度が高くなり、巻線が断線してしまうのを防止でき、機器への入力電圧が変化しても、生ゴミ処理中に発生する臭気を確実に脱臭することができる使用性の高い生ゴミ処理機を提供できる。
【００１６】
請求項６記載の発明は、電圧検知手段により検出した機器への入力電圧が基準値より低い時には、排出手段への通電量を増やすようにしたもので、機器への入力電圧が低い場合は、収納容器からの空気の排出量が小さくなることで、脱臭の性能を確保できなくなるのを防止でき、機器への入力電圧が変化しても、生ゴミ処理中に発生する臭気を確実に脱臭することができる使用性の高い生ゴミ処理機を提供できる。
【００１７】
請求項７の発明は、機器への入力電圧の検知は、電圧検知手段により一定時間毎に行うようにしたもので、常に機器への入力電圧の変動を検知することで、生ゴミ処理機と同一の電源から電圧供給されている他の電気機器が生ゴミ処理機の動作中に途中から動作し始めても、その影響を防止できる。
【００１８】
【実施例】
以下、本発明の一実施例を図１〜図３を参照しながら説明する。図１は本体の構成図である。図２、図３は、生ゴミ処理機の動作チャート図である。
【００１９】
１は乾燥減量したい生ゴミを収納する収納容器で、生ゴミは生ゴミ投入用の蓋２を開けて投入される。生ゴミ収納容器１の内部には回転自在の撹拌軸３に、先端に撹拌板４をつけた複数のアーム５を有する生ゴミを撹拌する撹拌手段６を配し、撹拌手段６はチェーン９を介して生ゴミ乾燥処理機の本体７の底部に取り付けたモータ８により回転駆動される。
【００２０】
生ゴミ収納容器１の上部には、温度検出手段１４の出力で生ゴミ収納容器１の温度を所定温度になるように温度調整をおこなう加熱手段１０、送風手段である乾燥ファン１１、それらを覆うと共に底部に複数の孔１２ａを有するカバー１２が設けられており、乾燥ファン１１は本体７の内部に設けてある乾燥ファンモータ１３により回転する。
【００２１】
１８は排気の臭いを脱臭する触媒１９の上流側に設けてある触媒加熱手段であり、それらは排出口１６を有する触媒ケース１７内に配設して、排出モータ２１と前記排出モータ２１に取付けられた排出ファン２２から構成される排出手段２３を介して排気部２０につながっており、生ゴミ収納容器１の生ゴミを撹拌手段６で粉砕、撹拌しながら加熱手段１０と乾燥ファン１１により発生する熱風で生ゴミを乾燥させる時に発生する蒸気を排出ファン２２の運転で排出させるものである。
【００２２】
また、１５はモータ８、加熱手段１０、乾燥ファンモータ１３、触媒加熱手段（触媒加熱ヒータ）１８、排出モータ２１を制御する制御装置であり、図５に示すように運転開始から生ゴミ収納容器１の生ゴミを所定時間の正転、停止、逆転を繰り返す撹拌手段６（モータ８の動作）で粉砕、撹拌しながら、温度検出手段１４の出力で生ゴミ収納容器１内温度を予め設定してあるＴ１になるように加熱手段１０をＯＮ、ＯＦＦして温度制御を行い、加熱手段１０のＯＦＦ時間が所定値ｔ１より長くなると、加熱手段１０を所定温度Ｔ２になるまで再度ＯＮし加熱乾燥をおこなうものである。この所定温度Ｔ２になるまで加熱手段１０を再度ＯＮすることで、乾燥処理時間を終了している。
【００２３】
２４は、機器への入力電圧を検出する電圧検知手段で、一定時間ごとに機器への入力電圧を検出している。
【００２４】
そして、図２に示すように、電圧検知手段２４により検出した機器への入力電圧が基準値（１００Ｖ）より低い時には、触媒加熱手段１８への間引き率を基準値（１００Ｖ）のときの値より小さくし通電量を増加させることで発熱量も増加させ、基準値（１００Ｖ）のときと同等の発熱量となるよう制御する（図２のｂからａの状態。）。さらに、電圧検知手段２４により検出した機器への入力電圧が基準値（１００Ｖ）より低い時には、排出モータ２１への間引き率を基準値（１００Ｖ）のときの値より小さくし前記生ゴミ収納容器１内からの空気の排出量を増加させることで、基準値（１００Ｖ）のときと同等の前記生ゴミ収納容器１内からの空気の排出量となるよう制御する（図２のｄからｃの状態。）。
【００２５】
また、図３に示すように、電圧検知手段２４により検出した機器への入力電圧が基準値（１００Ｖ）より高い時には、触媒加熱手段１８への間引き率を基準値（１００Ｖ）のときの値より大きくし通電量を減少させることで発熱量も減少させ、基準値（１００Ｖ）のときと同等の発熱量となるよう制御する（図３のｅからｆの状態。）。さらに、電圧検知手段２４により検出した機器への入力電圧が基準値（１００Ｖ）より高い時には、排出モータ２１への間引き率を基準値（１００Ｖ）のときの値より大きくし前記生ゴミ収納容器１内からの空気の排出量を減少させ、基準値（１００Ｖ）のときと同等の前記生ゴミ収納容器１内からの空気の排出量となるよう制御する（図２のｇからｈの状態。）。
【００２６】
以上のように制御することで、機器への入力電圧が変化しても、生ゴミ処理中に発生する臭気を確実に脱臭することができる使用性の高い生ゴミ処理機を提供できる。
【００２７】
【発明の効果】
以上説明したように本発明によれば、生ゴミ処理中に発生する臭気を確実に脱臭することができる使用性の高い生ゴミ処理機を提供できる。
【図面の簡単な説明】
【図１】本発明の一実施例の生ゴミ処理機の断面図
【図２】同機器への入力電圧が基準値より低い時の生ゴミ処理機の動作図
【図３】同機器への入力電圧が基準値より高い時の生ゴミ処理機の動作図
【図４】従来の生ゴミ処理機の断面図
【図５】同生ゴミ処理機の動作図
【符号の説明】
１　生ゴミ収納容器
６　撹拌手段
１０　加熱手段
１８　触媒加熱手段
１９　触媒
２３　排出手段
２４　電圧検知手段
【図１】
2004105898.tif 000003
【図２】
2004105898.tif 000004
【図３】
2004105898.tif 000005
【図４】
2004105898.tif 000006
【図５】
2004105898.tif 000007